(57)【要約】【課題】近赤外分光法（NIRS）の原理に基づく生体光計測装置において、あらゆる光源・検出器配置、及び様々な要求仕様においても適切な条件を実現する。【解決手段】光源１０１を含む光照射モジュール１３と、光検出器１０２を含む光検出モジュール１４と、中央制御・解析部１８を備え、中央制御・解析部１８は、対応取得部１９を用いて、各々の光検出部と、光照射部との対応関係を取得し、光照射モジュール１３と光検出モジュール１４は、対応関係と、光検出器１０２の検出出力により定まる評価関数値を利用して、各々の計測点において信号検出方式を切り替え、複数の信号検出方式を混在させることができる構成により、高精度で最適な生体光計測装置を実現する。【選択図】図２
2018015586.tif 000002
【特許請求の範囲】
【請求項１】
被検体の光照射点へ光を照射するための光照射部あるいは前記光照射部から照射された光を光検出点において検出するための光検出部のうち少なくとも一方を格納する光デバイスモジュールを備え、
前記光デバイスモジュールは，内部ハードウェア構成をダイナミックに変更できる中央演算処理装置を有する、
ことを特徴とする生体光計測装置。
【請求項２】
請求項１に記載の生体光計測装置であって、
前記中央演算処理装置は、格納された前記光検出部の検出出力を処理する、
ことを特徴とする生体光計測装置。
【請求項３】
請求項２に記載の生体光計測装置であって、
前記中央演算処理装置は、他の光デバイスモジュールと通信を行う、
ことを特徴とする生体光計測装置。
【請求項４】
請求項３に記載の生体光計測装置であって、
前記光デバイスモジュールは、格納された前記光照射部あるいは前記光検出部に関する情報を記憶する情報記憶部を有する、
ことを特徴とする生体光計測装置。
【請求項５】
請求項４に記載の生体光計測装置であって、
前記情報記憶部は、前記情報として前記光照射部の波長及び電流−光出力特性、あるいは前記光検出部の感度情報を記憶する、
ことを特徴とする生体光計測装置。
【請求項６】
請求項３に記載の生体光計測装置であって、
前記光デバイスモジュールは、前記光照射点、あるいは前記光検出点の位置を同定する位置同定部を有する、
ことを特徴とする生体光計測装置。
【請求項７】
請求項６に記載の生体光計測装置であって、
前記位置同定部は、前記光デバイスモジュールに備えられた磁気センサである、
ことを特徴とする生体光計測装置。
【請求項８】
請求項４に記載の生体光計測装置であって、
前記中央演算処理装置は、前記光検出部と、当該光検出部が検出する光の照射元である前記光照射部との組み合わせを取得する、
ことを特徴とする生体光計測装置。
【請求項９】
請求項４に記載の生体光計測装置であって、
前記中央演算処理装置は、前記検出出力により定まる評価関数値を利用して、前記光照射部と前記光検出部との間における信号検出方式を設定する、
ことを特徴とする生体光計測装置。
【請求項１０】
請求項９に記載の生体光計測装置であって、
前記中央演算処理装置は、前記光検出部の前記検出出力の検出強度を用いて前記評価関数値を決定する、
ことを特徴とする生体光計測装置。
【請求項１１】
請求項１０に記載の生体光計測装置であって、
前記中央演算処理装置は、前記被検体もしくは標準ファントムに前記光デバイスモジュールを設置して計測したときの前記検出出力の時間平均検出光量もしくは信号対雑音比を取得して前記評価関数値とする、
ことを特徴とする生体光計測装置。
【請求項１２】
請求項１０に記載の生体光計測装置であって、
前記中央演算処理装置は、前記評価関数値に基づき、前記光照射部の光源の強度変調周波数を決定する、
ことを特徴とする生体光計測装置。
【請求項１３】
請求項９に記載の生体光計測装置であって、
前記信号検出方式は、連続光ロックイン方式、疑似連続光ロックイン方式、時分割検出方式、時分割ロックイン方式、あるいは符号分割変調方式である、
ことを特徴とする生体光計測装置。
【請求項１４】
請求項９に記載の生体光計測装置であって、
バックアップとなる抵抗、コンデンサ（キャパシタ）、アナログICから構成される電子回路及び素子を備える、
ことを特徴とする生体光計測装置。
【請求項１５】
請求項１４に記載の生体光計測装置であって、
前記評価関数値が最大となるように、前記電子回路及び素子の使用、不使用を切り替える、
ことを特徴とする生体光計測装置。
【発明の詳細な説明】
【技術分野】
【０００１】
本発明は、可視光または近赤外光を用いた生体光計測装置に係り、特に、生体組織の酸素化状態や組織中の血行動態変化を計測するための技術に関する。
【背景技術】
【０００２】
近赤外分光法（Near-infrared spectroscopy: NIRS）の原理を用いた脳機能計測装置（特許文献１、非特許文献１参照）は、医療用および研究用機器として、あるいは教育効果・リハビリ効果の確認、家庭における健康管理、商品モニタ等の市場調査に用いることができる。また、同様の手法により組織酸素飽和度計測や筋組織の酸素代謝計測に用いることができる。さらに、果実の糖度計測を始め、一般の吸収分光装置にも用いることができる。
【０００３】
そのため、脳機能計測をはじめとして、運動時血流モニタ、唾液計測、術中脳酸素モニタ等、NIRSに基づいた小型の光計測装置の需要は近年ますます増えている。このような小型装置の仕様（波長、計測点数、サンプリング速度等）は、計測部位、計測チャンネル数（計測点数）をアプリケーション依存で変える必要があり、従来はそれぞれのアプリケーションにおいて専用の仕様を準備する必要があった。そのため、共通基盤を目指したモジュール型の生体光計測装置の実現が難しく、ますます増える小型NIRSの応用に対応した装置の低コスト化が難しかった。
【０００４】
この様な状況にあって、特許文献２には、計測領域とチャンネル数とを自由に設定することができ、取り外し可能な送受ユニットを有し、主制御部は取りつけられた送受ユニットの副制御部を制御することでタイミングを調整し、脳活動に関する測定データを得る方法が開示されている。また、特許文献３には、着脱可能で安全性に優れたモジュール型光検出器を実現するため、受光器、送光器がモジュール化され、特に受光器において光検出器を駆動するための高電圧電源を頭部に固定できるパッケージに収める方法が開示されている。
【先行技術文献】
【特許文献】
【０００５】
【特許文献１】特開平９−０１９４０８号公報
【特許文献２】特開２０１１−２４９２５号公報
【特許文献３】特開２００８−１７３１４０号公報
【非特許文献】
【０００６】
【非特許文献１】A. Maki et al.、“Spatial and temporal analysis of human motor activity using noninvasive NIR topography”、Medical Physics、Vol.22、 No.12、 pp.1997−2005（1995）
【発明の概要】
【発明が解決しようとする課題】
【０００７】
しかし、上述した特許文献３などの先行技術文献にあっては、設定した計測領域とチャンネル数を実現するよう配置された光源・検出器を制御して測定データを得ることは開示されているが、光源・検出器各々が互いに連携し、検出光量・検出器配置等の測定条件を元に、信号検出方式及び光照射パワーを最適化し、様々な要求仕様においても高い信号対雑音比で、適切な計測条件を実現する点については、検討に至っていない。
【０００８】
本発明の目的は、複数の信号検出方式の混在を可能とし、様々な光源・検出器配置や要求仕様に対しても高い信号対雑音比で、適切な計測条件を実現することが可能な、生体光計測装置、及び方法を提供することにある。
【課題を解決するための手段】
【０００９】
上記の目的を達成するため、本発明においては、光照射点へ光を照射するための光照射部と、光照射部から照射された光を光検出点において検出するための光検出部と、光検出部の検出出力を処理する処理部とを備え、処理部は、光検出部の検出出力により定まる評価関数値を利用して、光照射部と光検出部間における信号検出方式を設定する構成の生体光計測装置を提供する。
【００１０】
また、上記の目的を達成するため、本発明においては、光照射部から光照射点へ光を照射し、光検出部で光照射部から照射された光を光検出点において検出し、処理部が、光検出部の検出出力により定まる評価関数値を利用して、光照射部と光検出部間における信号検出方式を切り替える生体光計測方法を提供する。
【発明の効果】
【００１１】
本発明によれば、各種の条件に応じ最適な信号検出方式を選択できることで高い信号対雑音比で高精度な生体光計測を実現する。
【図面の簡単な説明】
【００１２】
【図１】実施例１の生体光計測装置の全体構成の一例を示す図である。
【図２】実施例１に係る、モジュールにより構成された生体光計測装置の一例を示す図である。
【図３】実施例１に係る、各種信号検出方式における光検出波形の一例を示す図である。
【図４】実施例１に係る、複数の光デバイスモジュール及び制御モジュールにより構成された生体光計測装置の一例を示す図である。
【図５】実施例１に係る、生体光計測装置のモジュール配置の一例を示す図である。
【図６】実施例１に係る、光照射モジュール構成の一例を示す図である。
【図７】実施例１に係る、光検出モジュール構成の一例を示す図である。
【図８】実施例１に係る、制御モジュール構成の一例を示す図である。
【図９】実施例１に係る、プローブ配置の一例を示す図である。
【図１０】実施例１に係る、複数の領域を同時に測定するためのプローブホルダ及びプローブ配置例を示す図である。
【図１１】実施例１に係る、光源−検出器の対応取得時のフローチャートを示す図である。
【図１２】実施例１に係る、信号検出方式を取得時のフローチャートを示す図である。
【図１３】実施例２に係る、最適強度変調周波数及び最適遅延時間自動取得時のフローチャートを示す図である。
【図１４】実施例３に係る、信号の質評価による測定チャンネル数決定時のフローチャートを示す図である。
【図１５】実施例４に係る、生体光計測装置におけるパラメータ設定画面の一例を示す図である。
【発明を実施するための形態】
【００１３】
以下、図面を用いて本発明の実施の形態を説明する。異なる図面において、同一の数番で示される構成ブロック、構成要素は同一物を示す。以下に説明するように、本発明の好適な態様にあっては、光源・検出器・制御用の測定用モジュールを組み合わせることで要求仕様に合わせた生体光計測装置を構成し、信号検出方式を被検者、部位、タスク（認知課題）等の状況に応じ動的に最適化することができる。
【実施例１】
【００１４】
実施例１は、光照射点へ光を照射するための光照射部と、光照射部から照射された光を光検出点において検出するための光検出部と、光検出部の検出出力を処理する処理部とを備え、処理部は、光検出部の検出出力により定まる評価関数値を利用して、光照射部と光検出部間における信号検出方式を切り替える構成の生体光計測装置の実施例である。
【００１５】
図１に、本実施例の生体光計測装置の全体構成の一例を示す。光を生体に入射し、生体内を散乱・吸収され伝播して生体外に放出される光を検出できる生体光計測装置において、筺体２０に含まれる１つまたは複数の光照射部である光源１０１から照射される光３０を、光を伝播させるための導波路４０を介して、被検者１０の照射点に入射させる。この光照射部からの光３０は、照射点１１から被検者１０内に入射し、被検者１０内を透過、伝播した後は、照射点１１とは離れた位置にある検出点１２からプローブを構成する導波路４０を介して、１つまたは複数の光検出部である光検出器１０２で検出される。すなわち、照射―検出器（source-detector）間距離（ＳＤ距離）は、照射点１１と検出点１２間の距離で定義される。
【００１６】
ここで、１つまたは複数の光源１０１は、半導体レーザ（ＬＤ）や発光ダイオード（ＬＥＤ）等であり、１つまたは複数の光検出器１０２はアバランシェフォトダイオード（ＡＰＤ）やフォトダイオード（ＰＤ）、シリコンフォトマルチプライヤー（ＳｉＰＭ）、光電子増倍管（ＰＭＴ）等であれば良い。また、プローブを構成する導波路４０は光ファイバ、ガラス、ライトガイド等の、使用する波長が伝播可能な媒体であれば良い。
【００１７】
光源１０１は、筐体２０内の光源駆動装置１０３により駆動され、１つまたは複数の光検出器１０２の増倍率及びゲインは、処理部である制御・解析部１０６により制御される。制御・解析部１０６は、光源駆動装置１０３の制御も行い、入力部１０７からの操作者による条件等の入力を受ける。光検出器１０２で光電変換して得られた電気信号は、増幅器１０４で増幅され、アナログ−デジタル変換器１０５でアナログ−デジタル変換され、処理部である制御・解析部１０６へ送られ、信号処理される。
【００１８】
光照射部である光源１０１や光検出部である光検出器１０２を使った微小信号の検出、及び複数信号の分離の方法としては、複数の光源を強度変調方式で駆動し、光検出器で検出された信号をロックイン検出してからアナログ−デジタル変換する方法や、受光器からの信号を増幅・アナログ−デジタル変換した後に、ロックイン処理をデジタル的に行う方法がある。また、これに限定されず、たとえば、複数の光を照射するタイミングを時間的にずらすことで複数光を弁別する時分割検出方式や、スペクトラム拡散変調方式を用いることも可能である。
【００１９】
尚、光照射部である光源１０１、及び光検出部である光検出器１０２は、導波路４０と一体となる構成でも良い。例えば、ＬＤ、ＬＥＤ等の光源素子、ＰＤ、ＡＰＤ等の光検出素子をプローブ内に設置することで、光損失の低下、装置の小型化、低コスト化、低消費電力化、等の効果がある。
【００２０】
処理部である制御・解析部１０６では、光検出器１０２で検出された検出出力に基づき解析を実行する。具体的には、アナログ−デジタル変換器１０５で変換して得られたデジタル信号を受け当該デジタル信号をもとに、例えば非特許文献１に記載されている方法に基づいて、検出光量変化もしくは吸光度変化から、酸素化（oxygenated hemoglobin: oxy-Hb）、脱酸素化ヘモグロビン変化（deoxygenated hemoglobin: deoxy-Hb）を算出する。ここでの酸素化及び脱酸素化ヘモグロビン変化は、ヘモグロビン濃度と実効光路長との積の変化量に相当する値である。もしくは、適当な光路長を仮定し代入することによりヘモグロビン濃度の変化量を算出しても良い。
【００２１】
ここでは、処理部である制御・解析部１０６は、光源１０１の駆動、光検出器１０２のゲイン制御、アナログ−デジタル変換器１０５からの信号処理を全て行うことを想定して記述したが、それぞれ別個の制御部を有し、さらにそれらを統合する手段を有することでも同機能を実現できる。また、計測データおよびヘモグロビン変化の算出結果は、記憶部１０８に保存され、解析結果および／または保存データに基づいて表示部１０９で計測結果を表示することが可能である。制御・解析部１０６、入力部１０７、記憶部１０８、表示部１０９は、例えば、少なくとも一台のパーソナルコンピュータ（PC）からなる情報端末等を使って構成できる。
【００２２】
図１では図示を省略した送光器、受光器は、送光器は、例えば光源１０１側の導波路４０を含み、被検者１０に接触あるいは接触に近い状態で設置され、受光器は、例えば光検出器１０２側の導波路４０を含み、被検者１０に接触あるいは接触に近い状態で設置される。
【００２３】
本実施例の生体光計測装置の好適な態様にあっては、以上の構成の一部もしくは全部をモジュール化し、一つもしくは複数のモジュールを有してヒト組織の血液量変化、もしくはヘモグロビン変化量、を測定する。すなわち、所定の光照射点へ光を照射するための１つまたは複数の光照射部と、光照射部から照射された光を所定の光検出点において検出するための１つまたは複数の光検出部と、光照射部と光検出部のうち少なくとも一方を格納するための１つまたは複数の光デバイスモジュールと、各々の光検出部と、当該検出部が検出する光の照射元である所定の光照射部との対応関係を取得するための対応取得部と、を有し、光デバイスモジュールは、光照射部と光検出部のうち少なくとも１つに関する情報を記憶する情報記憶部と、光照射部と光検部段のうち少なくとも１つを制御し、他の光デバイスモジュールと通信するための制御通信部と、を有し、対応関係と光検出部における検出強度もしくは検出強度及び計測条件により定まる評価関数値を利用して、各々の光デバイスモジュール間において信号検出方式を切り替え、各々の計測点において複数の信号検出方式を混在させることができる生体光計測装置の構成を示している。
【００２４】
図２は、このモジュール化により構成された本実施例の生体光計測装置の好適な構成例を示す。モジュール化は複数の光照射モジュール１３と光検出モジュール１４を用いて実現される。光照射モジュール１３は、光照射部である光源１０１と、情報記憶部１６と制御通信部１７を内部に備え、波長、光照射強度、変調方式、当該変調方式のパラメータ、等を含む光源１０１の情報を情報記憶部１６に保持する。ここで変調方式とは、上述した連続デジタルロックイン方式、連続アナログロックイン方式、時分割検出方式、符号分割変調方式、等である。変調方式のパラメータとは、周波数、パルス幅、符号波形、周期、等の、各変調方式におけるパラメータを指す。
【００２５】
また、光検出モジュール１４は、光検出部である光検出器１０２と、情報記憶部１６と制御通信部１７を内部に備える。情報記憶部１６は、電流−光出力特性、受光感度、最大感度波長、暗電流、端子間容量、等の光検出器１０２の情報を保持する。光照射モジュール１３及び光検出モジュール１４は、制御通信部１７を有し、他のモジュールもしくは中央制御・解析部１８と通信部１５を介して通信を行う。
【００２６】
処理部である中央制御・解析部１８は、図１に示した制御・解析部１０６に対応し、機能ブロックとして対応取得部１９を備える。さらに、図２の構成においては、図１と同様、各種パラメータを手動もしくは自動で入力するための入力部１０７、及び対応取得部１９による対応取得後の結果及び計測結果等を表示するための表示部１０９を有している。
【００２７】
対応取得部１９は、中央制御・解析部１８におけるプログラム実行等で実現され、光照射モジュール１３及び光検出モジュール１４からの情報をもとに、各々の光照射モジュール１３、光検出モジュール１４との対応関係、つまりどの光照射モジュール１３から照射された光をどの光検出モジュールが検出し、信号を取得するかの情報を取得する。さらに、対応取得部１９は、この対応関係として、光の照射点１１と検出点１２間の距離で定義されるＳＤ距離を取得可能としても良い。また、標準ファントム（生体組織模擬材料）や被検者に対して各モジュールを設置し、光源１０１を点灯させ光検出器１０２の出力を計測したときの時間平均検出光量もしくは信号対雑音比（signal-to-noise ratio: SNR）の組み合わせを取得し、それらの値が所定の閾値以上のときに前記の対応関係を定義もしくは取得するものでも良い。
【００２８】
図３に、本実施例の生体光計測装置で用いられる各種信号検出方式における光検出波形の一例を示す。各々の波形は、光検出信号の生波形の例を示している。６１は連続光ロックイン方式の光検出波形（ｃｈ１、２）を示す。所定の周波数で強度変調をかけた光信号を、同じ周波数の参照信号と同位相でかけ合わせる（乗算する）ことで強度変調信号を復号できる。６２は擬似連続光ロックイン方式の光検出波形を示す。他の光信号の使用が無い場合には、連続光ロックイン方式と同様であるが、光検出信号において他の光信号が使用される場合には、他の光信号と干渉しないよう、他の光信号が点灯を開始するタイミングでOFFし、その期間にロックイン検出の演算処理をしない方法である。６３は時分割ロックイン方式の光検出波形を示す（ｃｈ１〜３）。複数の光源を用いる場合に、光源間での干渉を低減するために、順に点灯させるとともに、室内照明等のノイズ低減のために切り替え周波数よりも高い周波数で強度変調する方法である。６４はロックイン切り替え方式の光検出波形であり（ｃｈ１、２）、２種の光源セットを交互に切り替える方式で、時分割ロックイン方式の特殊なケースである。６５は時分割検出方式の光検出波形（ｃｈ１〜３）を示しており、複数の光源を順に点灯させる方式である。
【００２９】
これらの各種変調方式には、特に計測チャンネル数が多い場合もしくは少ない場合に、長所・短所があることが知られている。例えば、計測チャンネル数が多い場合には、時分割ロックイン方式を含む、時分割方式では、一巡するのに時間がかかってしまい、時間分解能を維持するには１チャンネルあたりの測定時間を減らす必要が生じ、測定時間を維持すると時間分解能が低下してしまう。連続光ロックイン方式では、１検出器あたりに光源が集中しない場合、例えば、通常の格子状配置を用いる場合には、そのような問題は生じない。
【００３０】
しかし、１検出器あたりに多くの（例えば、６個以上の）光源を割り当てる場合には、連続光ロックイン方式では、平均的な受光パワーが増大してしまい、検出器の光電流によるショットノイズが増加したり、検出器が飽和してしまい、測定自体が不能になってしまう可能性がある。よってそのように１検出器あたりに多くの光源を割り当てる場合には、時分割ロックイン方式もしくは他の時分割検出方式がより適している。更に、より多くの計測点において高い信号対雑音比を得るために、各々の光源の照射パワーを変化させても良いし、光検出器の増幅率を変化させても良い。光検出器の増幅率は、例えば検出系回路における増幅器の帰還抵抗値もしくは入力抵抗値等の回路パラメータを変更することで実現可能である。以上は例として述べたが、実際の計測では光源及び検出器の配置もしくは使用個数に関わらず、被検体１０の透過率、使用波長、周囲の電磁気的及び機械的ノイズの環境等によって最適な検出方式は変わり得る。
【００３１】
図４を使って、本実施例の生体光計測装置のモジュール化の構成の他の例を説明する。図４は複数の光モジュール及び制御モジュールにより構成された生体光計測装置の一例を示したものである。モジュール間通信バス２２を介し、制御モジュール２１、光照射モジュール２３、光検出モジュール２４が相互通信する。各々のモジュールはモジュール情報３２、モジュールＩＤ３３、中央演算処理部（ＣＰＵ）及び記憶部３１を保有している。光学測定用に、光照射モジュール２３には光照射部である光源１０１が、光検出モジュール２４には光検出部である光検出器１０２が含まれている。
【００３２】
なお、各モジュールは、図２の構成における制御通信部として通信用コネクタ等を備えているが、図４では図示を省略してある。制御モジュール２１はモジュール―情報端末間通信バス２５を介して情報端末２６から制御される。これらの制御モジュール２１と情報端末２６は、図１の構成の制御・解析部１０６、入力部１０７、記憶部１０８、表示部１０９に対応する。なお、この様なモジュールのＣＰＵ及び記憶部３１としては、FPGA（Field-Programmable Gate Array）やPSoC（登録商標：Programmable System-on-Chip）などを利用することができる。
【００３３】
次に、図５は、図４で示した複数のモジュールを被検体１０へ設置する場合の、モジュール配置の一例を示す図である。ここでは、照射―検出器間の距離を３０ｍｍと設定する。光照射モジュール２３と光検出モジュール２４を、モジュール間コネクタ３４を各モジュール間に設けて交互に配置し、「３×３配置」（３行、３列に格子状に計９個のモジュールを並べる）を実現している。さらに、制御モジュール２１を別個に配置している。
【００３４】
続いて、図６−図８を用いて、図４、図５に示した複数のモジュールのデバイス構成の一例を示す。図６は光照射モジュール１３のデバイス構成の一例を示す図である。基板４１には、光源１０１、モニタ用光検出器２７、中央演算処理部（ＣＰＵ）及び記憶部３１、情報端末との通信用コネクタ３８、ファームウェア書き込み用コネクタ３５、モジュール間通信用コネクタ３７、電源３９が設置されている。中央演算処理装置（ＣＰＵ）及び記憶部３１としては、組み込みソフトウェア、もしくはファームウェアを実装可能であるもので良く、さらに、内部ハードウェア構成をダイナミックに変更できるものでも良く、先に説明したPSoC（登録商標）や、マイクロコントローラ等を用いれば良い。
【００３５】
光源１０１としては、発光ダイオード（ＬＥＤ）等を用いれば良い。２波長を使用するため、２個のＬＥＤが設置されている。また、周囲温度により変化しうる各々のＬＥＤの照射強度を測定するためのモニタ用光検出器２７は通常のフォトダイオード（ＰＤ）で良く、各々のＬＥＤ１０１の近接に配置され、かつ他のＬＥＤの光の影響が小さくなるように配置される。例えば、２つのＬＥＤ１０１の設置場所を直線で結んだ場合の線分の中心に対して、点対称の位置に、２個のモニタ用光検出器２７が、該直線上に配置されるものでよい。例えば、本モジュールをヒト頭部の測定に用い、格子状のプローブ配置を使用し、各々の光源１０１と光検出器１０２との距離を３０ｍｍと設定することを想定し、ここでは基板４１を正方形状とし、光源１０１を基板中央に配置している。これにより、格子配置に基板を並べることで、格子状の光源、光検出器の配置が実現できる。
【００３６】
図７は、光検出モジュール２４の構成の一例を示す図である。基板４１には、光検出器１０２、検出した光信号を増幅するための増幅器３６、モジュール間通信用コネクタ３７、情報端末との通信用コネクタ３８、ファームウェア書き込み用コネクタ３５、中央演算処理装置（ＣＰＵ）及び記憶部３１、電源３９が配置される。光照射モジュール２３と同様、光検出モジュール１４においても光検出器１０２は基板４１の中央付近に設置されることで、基板を格子配置に並べることで、ヒト頭部測定時に容易に格子状プローブ配置を実現可能である。
【００３７】
尚、光照射モジュール２３、光検出モジュール２４をまとめて光デバイスモジュールと定義すれば、光デバイスモジュールは光源１０１と光検出器１０２のうち少なくとも一方に関する情報を記憶し、光源１０１と光検出器１０２のうち少なくとも一方を制御し、他の光デバイスモジュールと通信するためのＣＰＵ及び記憶部３１とを有している。そして、本実施例の好適な態様にあっては、後で詳述するように、光源１０１と光検出器１０２における検出出力である信号の検出強度もしくは計測条件に応じて、各々の光デバイスモジュール間において信号検出方式を切り替え、各々の計測点において複数の信号検出方式を混在させることが可能な構成となっている。
【００３８】
図８は、制御モジュール２１のデバイス構成の一例を示す図である。基板４１には、ＣＰＵ及び記憶部３１、ファームウェア書き込み用コネクタ３５、モジュール間通信用コネクタ３７、情報端末との通信用コネクタ３８、電源３９が設置される。制御モジュール２１は、複数のモジュールを使用する生体光計測装置の構成において、モジュール間通信で主にマスターとして機能し、１つまたは複数の光照射モジュール２３、及び１つまたは複数の光検出モジュール２４を制御する。さらに、情報端末２６との通信を行い、情報端末２６へのデータ出力、及び情報端末２６からのデータ入力を行う。ここで情報端末２６とは、上述したようにＰＣや、ポータブル・携帯端末等であれば良い。
【００３９】
図９に、本実施例のプローブ配置の一例を示す。光照射部である光源の位置４２を白い丸、光検出部である光検出器の位置４３を黒い丸で示している。各々の光源位置４２と光検出器位置４３を結ぶ線として、実線は、擬似連続光計測を実施する光源―光検出器の組み合わせを示す線５１を、点線は、時分割ロックイン計測を実施する光源―光検出器の組み合わせを示す線５２を示している。擬似連続光計測を実施する部分は、光源の数が少ない領域であり、連続的に受光しても飽和しにくいため、各光源あたりの受光パワーを増加させることができ、信号の質を高めることができる。時分割ロックイン計測を実施する部分は、光検出器に対して、光源の数が多い（ここでは７個）領域であり、連続ロックイン計測方式もしくは擬似連続ロックイン計測方式では検出器が飽和しやすくなるとともに、光電流によるショットノイズが増加する。よってここでは時分割ロックイン方式を用いて、検出器の飽和及びショットノイズ増加を防ぎ、必要な光源からの信号を受光できるような構成となっている。
【００４０】
図１０に、本実施例の生体光計測装置の複数の領域を同時に測定するためのプローブホルダ及びプローブ配置例を示す。図９と同様、各々の光源位置４２と光検出器位置４３を結ぶ線として、実線は連続光ロックイン計測を実施する光源―光検出器の組み合わせを示す線５１を、点線は時分割ロックイン計測を実施する光源―光検出器の組み合わせを示す線５２を示している。複数の領域をここでは領域Ａ、Ｂ、Ｃとすると、領域Ａに設置するプローブホルダ４４においては一つの光検出器１０２に対して光源１０１の数が８個と多いため、時分割ロックイン計測を実施する構成となっている。領域Ｂに設置するプローブホルダ４５及び、領域Ｃに設置するプローブホルダ４６においては、一つの光検出器１０２に対して光源１０１の数が少ないため、連続光ロックイン計測を実施する構成となっている。
【００４１】
続いて、本実施例の生体光計測装置において、検出出力である検出信号の質を定量評価するための評価関数値を設定し、所定の基準に達することを条件にして、最適な信号検出方式を選択する方法について説明する。まず、図２の対応取得部１９は、図１１のフローチャートに従い、光源−検出器の対応取得を行う。すなわち、対応取得部１９は、図１１のフローチャートのステップS１１１からS１１５までを行うものであり、ＣＰＵ及び記憶部３１内でのソフトウェア、ファームウェア、ハードウェアにより実現できる。
【００４２】
図１１において、まず使用可能な光照射部である光源を探索し、リストアップした上で番号を振る（ステップS１１１）。光源の探索は、モジュール間通信バス２２等を通じたモジュール間通信から、各々の接続された光源の情報を探索するか、手動による入力によってでも良い。次に、順に光源を点灯し（ステップS１１２）、光検出部である光検出器で対応する信号検出方式により検出光量を測定し（ステップS１１３）、評価関数値を算出する（ステップS１１４）。そして、所定の閾値以上の評価関数値を持つ光源−検出器の組み合わせをチャンネル（計測点）と定める（ステップS１１５）。すなわち、使用可能な光源１０１と光検出器１０２の組み合わせを取得する。
【００４３】
各々の光検出器で所定の数以上のチャンネルが有る場合には検出光量もしくは評価関数値の大きい順に優先順位を定め、所定の数より多いチャンネルを除外する（ステップS１１６）。所定の数を設定しない方法としては、光源の数を増やしていったときに、所定の信号対雑音比以下になった時点でその原因となったチャンネルを除外する、という方法でも良い。時間分解能を低下させないよう、所定の数以上チャンネルを増やしたくないという場合も考えられるので、その場合には、事前に入力した時間分解能以下にならないよう、使用チャンネルが設定されるようにしても良い。最後に、チャンネル設定結果を記憶部１８に保存する（ステップS１１７）。ここで、各光源の光照射パワーを変化させることによって、所定の信号対雑音比を確保する方式でも良い。例えば、検出光量が強すぎる場合には光照射パワーを小さくし、検出光量が弱すぎる場合には光照射パワーを大きくする方法が考えられる。
【００４４】
尚、本実施例における評価関数とは信号の質を決める関数のことを言い、評価関数値としては、例えば数式１で表される搬送波対雑音比（carrier-to-noise ratio: CNR）、もしくは数式２で表される信号対雑音比（signal-to-noise ratio: SNR）等を使用すれば良い。
【００４５】
【数１】
2018015586.tif 000003
‐‐‐  数式１
ここで、mean(V)は所定の期間における所定波長の検出光量時系列データの平均値、std(V)は所定の期間における所定波長の検出光量時系列データの標準偏差を示す。
【００４６】
【数２】
2018015586.tif 000004
‐‐‐  数式２
ここで、mean(ΔCHb)は所定の期間におけるヘモグロビン変化時系列データの平均値、std(ΔCHb)は所定の期間におけるヘモグロビン変化時系列データの標準偏差を示す。
【００４７】
例えば全ての光照射部である光源からの信号を、所定の期間、順番に点灯させ、全ての光検出部である光検出器で検出し、検出強度を記録し、信号の質を表す評価関数値を算出する。その結果、各々の評価関数値が所定の閾値を超えた場合に、信号を取得する対応関係として定める。尚、この方法によらなくても、入力部１０７から手動入力により対応を取得しても良い。
【００４８】
図１２は、本実施例における生体光計測装置における、信号検出方式を取得時のフローチャートを示す図である。同図において、信号検出方式のリストを読み込む（ステップＳ１２１）。ｎに１を代入する（ステップＳ１２２）。方式ｎに基づいて測定を実行する（ステップＳ１２３）。次に、測定結果の質を評価する（ステップＳ１２４）。次に、ｎがＮであるかを判断する（ステップＳ１２５）。ステップＳ１２５においてｎがＮで無い場合（Ｎｏ）、ｎに１を加え（ステップＳ１２６）、ステップＳ１２３を実行する。ステップＳ１２５においてｎがＮである場合（Ｙｅｓ）、測定結果の質が最良となる方式を決定する（ステップＳ１２７）。尚、ここでは光検出部の検出出力で定まる評価関数値、すなわち、測定結果の質を利用して信号検出方式を決定する実施例について説明したが、更に、被検者、部位、タスク（認知課題）等の状況に応じ、信号検出方式を動的に最適化するようにしてもよい。
【実施例２】
【００４９】
次に、実施例２として、各々の計測点、もしくは光源と検出器との組み合わせにおける信号検出方式として、最適な強度変調周波数の決定方法についての実施例を説明する。本実施例においては、同時に信号検出方式として、連続光ロックイン方式等のロックイン方式による信号復調時において検出信号に乗じる参照信号の遅延時間を最適化する最適遅延時間の自動取得についても説明する。
【００５０】
図１３に、最適強度変調周波数及び最適遅延時間自動取得時のフローチャートを示す。遅延時間nをR種準備する（ステップS１３１）。遅延時間を手動もしくは自動で入力部１０７より入力してもよい。次に、nに1を代入する（ステップS１３２）。R種の遅延時間のうち、n番目の遅延時間を検出のロックインの参照信号に設定し、強度変調周波数を様々に変えて測定する（ステップS１３３）。各々の強度変調周波数における測定結果の質を評価する（ステップS１３４）。nがRであるかどうかを判断する（ステップS１３５）。ステップS１３５においてNoである場合には、nに1を加え（ステップS１３６）、検出の遅延時間をn番目の値に設定変更し（ステップS１３７）、ステップS１３３へ戻る。ステップS１３５においてYesである場合には、全遅延時間、全強度変調周波数の組み合わせのうち、測定結果の質が最良となる強度変調周波数及び遅延時間を決定する（ステップS１３８）。尚、ここでは測定結果の質を利用して最適強度変調周波数及び最適遅延時間を決定する実施例について説明したが、更に、被検者、部位、タスク（認知課題）等の状況に応じ、最適強度変調周波数及び最適遅延時間を動的に最適化するようにしてもよい。
【００５１】
尚、本実施例では、信号検出方式として強度変調周波数及び遅延時間の最適化を行う方法について記したが、信号検出方式として、検出系においてアナログ―デジタル（AD）変換の精度もしくは分解能（例えば、16 bit）を最適化してもよい。AD変換精度もしくは分解能を高めると一般に最大のサンプリング速度が低下し、取得可能な信号の帯域幅に影響を与える。さらに、AD変換を他のCPU動作と並行して行う場合には、他のCPU動作にも影響を与える。よって、AD変換精度は高ければよいというものではなく、他系への影響とのトレードオフを考慮する必要がある。したがって、信号検出方式を最適化するパラメータの一つにAD変換精度を含めた上で、強度変調周波数、遅延時間を最適化することがより望ましい。
【実施例３】
【００５２】
実施例３は、生体光計測装置における、計測信号の質評価による信号検出方式としての測定チャンネル数の決定方法に関する実施例である。図１４に、本実施例の信号の質評価による信号検出方式としての測定チャンネル数決定時のフローチャートを示す。同図に見るように、まず、使用する光源を取得、リストアップし、優先順位を決定する（順位1からN）（ステップS１４１）。部位、チャンネル位置により事前に入力しても良い。次に、nに1を代入する（ステップS１４２）。
【００５３】
優先順位ｎ番目の光源と、nより優先順位の高い光源を全て連続光計測方式で点灯させ、生体内部伝播光を検出する（ステップS１４３）。検出された信号の質を評価する（ステップS１４４）。全ての計測チャンネルで信号の評価関数が所定の閾値以上であるかを判断する（ステップS１４５）。ステップS１４５において、評価関数値が所定の閾値未満のチャンネルが一つでもある場合（No）、nから1を引き（ステップS１４６）、順位nより低い順位の光源を不使用とする（ステップS１４７）。ステップS１４５において、全ての計測チャンネルで信号の評価関数が所定の閾値以上である場合（Yes）、nがN未満であるかを判断する（ステップS１４８）。ステップS１４８において、nがN未満である場合（Yes）、nに1を加え（ステップS１４９）、ステップS１４３へ進む。ステップS１４８において、nがNと等しい場合（No）、終了する。この場合、Ｎ個の光源が使用される。
【００５４】
本実施例における生体光計測装置における信号の質としては、上述した数式１、数式２に示される搬送波対雑音比および信号対雑音比に加え、検出光量時系列データの平均値、検出光量時系列データの標準偏差、等を用いれば良い。
【００５５】
尚、ここでは、連続光計測方式である連続ロックイン方式等において、評価関数値が所定の閾値未満の場合に不使用とする方法を説明したが、不使用とはせずに時分割ロックイン方式などの時分割方式に切り替え、評価関数値が所定の閾値以上となるようにする方法としてもよい。
【００５６】
尚、ここでは光源系を光照射モジュール、光検出、受光系を光検出モジュールとした例を述べたが、光源系と受光系の両方を含むモジュール構成としても良く、光源系、受光系をともに含まず、モジュール間通信等のみを行うモジュールとして制御モジュールを構成してもよい。
【００５７】
また、対応取得部は、単純に、１つの検出手段に対して所定数（例えば、６個）以上の数の計測点数の場合に時分割方式もしくは時分割ロックイン方式に切り替えるよう構成しても良い。計測点数の閾値は、信号の質に依存するため測定条件により変わり得るが、レーザ安全基準（例えば、IEC 60825）等から目安を定め、実際の測定から最適化しても良い。
【実施例４】
【００５８】
実施例４は、生体光計測装置において各種のパラメータを設定する設定画面構成の実施例である。図１、図２に示した表示部１０９において、ユーザが各種計測パラメータを手動で入力部１０７から設定できるように各種パラメータの設定画面を提示する。図１５は，本実施例におけるパラメータ設定画面の一例を示す図である。本画面では，一検出器あたりの最大チャンネル数の設定欄２０１、最低信号対雑音比の設定欄２０２、最低サンプル周波数の設定欄２０３、１光源あたりの最大光照射パワーの設定欄２０４を表示し、各々の設定値を入力部１０７より入力可能であり、設定後、設定画面のOKボタンを押下し決定する。パラメータ設定をキャンセルする場合には、キャンセルボタンを押下する。
【００５９】
例えば、先に説明したように、信号対雑音比を最大化する場合には、チャンネル数を少なくし、光照射パワーを増加させること等が有効であるが、本実施例の生体光計測装置は、ここで設定される条件を満たしながら、制御・解析部１０６が最適なパラメータを探索する。本実施例の生体光計測装置におけるパラメータ探索法としては、全パラメータを順次、可変範囲内で変化させながら最適な組み合わせを探索する全数探索法、経験的なパラメータ条件を優先的に探索する方法、ランダムにパラメータ条件を変化させる方法等、を探索時間の制限に応じて設定すれば良い。尚、制約条件を満たすパラメータ条件が複数存在する場合に備え、優先するパラメータをあらかじめ設定できるようにしても良い。
【００６０】
以上、本発明の好適的な種々の実施例を説明してきたが、本発明は以上説明した実施例に限定されず、種々の変形例を含んでいる。例えば、図２の対応取得部１９の別個の手段として、被検体１０において光照射する位置である光照射点、及び被検体において光を検出する位置である検出点の位置を同定する位置同定部を有することにより、光照射部である光源、光検出部である光検出器の対応関係を自動取得してもよい。このような構成は、ファイバ、もしくはプローブを、プローブホルダに指す順序もしくは各々のプローブのＩＤ及び番号を気にせず、光源用のプローブホルダに任意の光源ファイバを、光検出器用のプローブホルダに任意の光検出ファイバを挿入することができ、測定準備を高速に行えるという効果がある。光検出方式を自動取得可能であるため、フレキシブルにハードウェア設定を変更し測定可能である。また、被検者間で条件を変更しない場合には、設定を固定することも可能である。このような位置同定部は、磁気センサ、カメラ等で良い。位置同定部として磁気センサを用いる場合は、装置外部に磁気トランスミッタを設置しておき、個々の光デバイスモジュールに磁気センサを取り付け、各磁気センサの出力を検出することにより、３次元位置計測が可能となる。
【実施例５】
【００６１】
上記の実施例に加えて、本発明の生体光計測装置は、バックアップとなる抵抗、コンデンサ（キャパシタ）、アナログIC等から構成される電子回路及び素子を備え、各素子の使用、不使用を切り替えることが可能であり、適宜前記評価関数値が最大となるように各素子の使用、不使用を切り替える、ことを特徴とする構成でも良い。つまり、切り替え可能な信号検出方式のパラメータには、時分割ロックイン検出方式、連続ロックイン検出方式等や、強度変調周波数等の信号特徴量や、使用する素子組み合わせ等のハードウェア構成も含む。これらは信号の質の最適化にも使用できるほか、素子のバックアップとして、故障した素子の代替として機能させることも可能である。
【００６２】
以上説明した本発明により、医療用および研究用機器として、あるいは教育効果・リハビリ効果の確認、家庭における健康管理、商品モニタ等の市場調査、さらに、同様の手法により組織酸素飽和度計測や筋肉の酸素代謝計測に用いることができる生体計測装置において、最適な装置構成の動的変更及び信号の質向上による高信頼性の信号提供が可能となる。
【００６３】
なお、本発明は上記した実施例に限定されるものではなく、様々な変形例が含まれる。例えば、上記した実施例は本発明のより良い理解のために詳細に説明したのであり、必ずしも説明の全ての構成を備えるものに限定されものではない。また、ある実施例の構成の一部を他の実施例の構成に置き換えることが可能であり、また、ある実施例の構成に他の実施例の構成を加えることが可能である。また、各実施例の構成の一部について、他の構成の追加・削除・置換をすることが可能である。例えば、以上説明した実施例では、各測定チャンネルで光検出方式を選択することを想定して説明したが、同じ測定チャンネルでも、複数の波長を使用している場合には、波長間でも別の方式を採用しても良いように、評価関数値を最大化してもよい。つまり、同じ測定点、もしくは計測チャンネルにおいて、３種の波長を使用してヘモグロビン変化を算出していると仮定すれば、波長１は連続ロックイン方式、波長２と３は時分割ロックイン方式、という設定も可能である。
【００６４】
更に、上述した各構成、機能、制御・解析部等は、それらの一部又は全部を実現するプログラムを作成することによりソフトウェアで実現する場合を例示して説明したが、それらの一部又は全部を、例えば集積回路で設計する等によりハードウェアで実現しても良いことは言うまでもない
以上詳述してきた本明細書の開示の中には、請求の範囲に記載した発明のみならず、種々の発明が開示されている。それらの一部を列記すると下記の通りである。
【００６５】
[列記１]
所定の光照射点へ光を照射するための１つまたは複数の光照射部と、
前記光照射部から照射された光を所定の光検出点において検出するための１つまたは複数の光検出部と、
前記光照射部と前記光検出部のうち少なくとも一方を格納するための１つまたは複数の光デバイスモジュールと、を有し、
各々の前記光デバイスモジュール間において信号検出方式を切り替え、各々の計測点において複数の前記信号検出方式を混在させることができる、
ことを特徴とする生体光計測装置。
【００６６】
[列記２]
各々の前記光検出部と、当該光検出部が検出する光の照射元である所定の前記光照射部との対応関係を取得するための対応取得部と、を有し、
前記対応関係と、前記光検出部における検出強度もしくは検出強度及び計測条件により定まる評価関数値を利用する、
ことを特徴とする列記１記載の生体光計測装置。
【００６７】
[列記３]
前記光デバイスモジュールは、
前記光照射部と前記光検出部のうち少なくとも１つに関する情報を記憶する情報記憶部と、
前記光照射部と前記光検出部のうち少なくとも１つを制御し、他の前記光デバイスモジュールと通信するための制御通信部と、
を有することを特徴とする列記１記載の生体光計測装置。
【００６８】
[列記４]
前記光照射部が前記被検体において光照射する位置である光照射点、及び光検出部が前記被検体において光を検出する位置である検出点の位置を同定する位置同定部を有する、
ことを特徴とする列記１記載の生体光計測装置。
【００６９】
[列記５]
前記情報記憶部は、前記光照射部の波長及び電流−光出力特性を保持し、前記光検出部の感度情報を保持する、
ことを特徴とする列記１記載の生体光計測装置。
【００７０】
[列記６]
前記対応関係は、所定の光照射部と、前記所定の光照射部が照射する光を検出する前記光検出部との組み合わせ、及び前記照射点と前記検出点間の距離で定義されるＳＤ距離であることを特徴とする列記１記載の生体光計測装置。
【００７１】
[列記７]
前記対応取得部は、前記被検体もしくは標準ファントムに前記光デバイスモジュールを設置し、計測したときの時間平均検出光量もしくは信号対雑音比の組み合わせを取得する、
ことを特徴とする列記１記載の生体光計測装置。
【００７２】
[列記８]
前記信号検出方式は、前記光検出部の検出出力をアナログ・デジタル変換するＡＤ変換の精度の設定を含む、
ことを特徴とする列記１記載の生体光計測装置。
【００７３】
[列記９]
前記信号検出方式がロックイン方式の場合、当該信号検出方式における検出の遅延時間を、前記評価関数値に基づき最適に設定する、
ことを特徴とする列記１記載の生体光計測装置。
【００７４】
[列記１０]
前記光照射部の光源の強度変調周波数を、前記評価関数値に基づき、最適に設定する、
ことを特徴とする列記１記載の生体光計測装置。
【符号の説明】
【００７５】
１０  被検者
１１  照射点
１２  検出点
１３、２３  光照射モジュール
１４、２４  光検出モジュール
１５  通信部
１６  情報記憶部
１７  制御通信部
１８  中央制御・解析部
１９  対応取得部
２０  装置本体
２１  制御モジュール
２２  モジュール間通信バス
２５  モジュール―情報端末間通信バス
２６  情報端末
３０  光
３１  ＣＰＵ及び記憶部
３２  モジュール情報
３３  モジュールＩＤ
３４  モジュール間コネクタ
３５  ファームウェア書き込み用コネクタ
３６  増幅器
３７  モジュール間通信用コネクタ
３８  情報端末との通信用コネクタ
３９  電源
４０  導波路
４１  基板
４２  光源位置
４３  光検出器位置
４４、４５、４６  プローブホルダ
５０  連続光ロックイン計測を実施する組み合わせ
５１  擬似連続光ロックイン計測を実施する組み合わせ
５２  時分割ロックイン計測を実施する組み合わせ
６１  連続光ロックイン方式の光検出波形（ｃｈ１、２）
６２  擬似連続光ロックイン方式の光検出波形
６３  時分割ロックイン方式の光検出波形（ｃｈ１−３）
６４  ロックイン切り替え方式の光検出波形（ｃｈ１、２）
６５  時分割検出方式の光検出波形（ｃｈ１−３）
１０１  光源
１０２  光検出器
１０３  光源駆動装置
１０４  増幅器
１０５  アナログ−デジタル変換器
１０６  制御・解析部
１０７  入力部
１０８  記憶部
１０９  表示部
２０１  一検出器あたりの最大チャンネル数の設定欄
２０２  最低信号対雑音比の設定欄
２０３  最低サンプル周波数の設定欄
２０４  一光源あたりの最大光照射パワーの設定欄
【図１】
2018015586.tif 000005
【図２】
2018015586.tif 000006
【図３】
2018015586.tif 000007
【図４】
2018015586.tif 000008
【図５】
2018015586.tif 000009
【図６】
2018015586.tif 000010
【図７】
2018015586.tif 000011
【図８】
2018015586.tif 000012
【図９】
2018015586.tif 000013
【図１０】
2018015586.tif 000014
【図１１】
2018015586.tif 000015
【図１２】
2018015586.tif 000016
【図１３】
2018015586.tif 000017
【図１４】
2018015586.tif 000018
【図１５】
2018015586.tif 000019